(57)【要約】【課題】ネットワークに複数のコンテンツ表示部が接続されていた場合に、コンテンツ表示部の取り違えが生じ、誤ったコンテンツ表示部に適切でないコンテンツが表示されてしまう可能性があった。また、コンテンツ表示部の取り違えを防止するためのネットワーク管理はユーザにとり、煩雑であった。上記を防止することが課題になっていた。【解決手段】コンテンツを複数の中から選択された表示手段に向けて出力するための出力指示を受信する出力指示受信手段を備える。出力指示されたコンテンツが出力されることを示す表示情報を、前記選択された表示手段に向けて、前記出力指示されたコンテンツよりも先に出力し、続いて前記出力指示されたコンテンツを出力するコンテンツ出力手段を備える。【選択図】  図４
2012004889.tif 000002
【特許請求の範囲】
【請求項１】
コンテンツを複数の中から選択された表示手段に向けて出力するための出力指示を受信する出力指示受信手段と、
前記出力指示されたコンテンツが出力されることを示す表示情報を、前記選択された表示手段に向けて、前記出力指示されたコンテンツよりも先に出力し、続いて前記出力指示されたコンテンツを出力するコンテンツ出力手段を備えるコンテンツ出力装置。
【請求項２】
前記コンテンツが出力されることを示す表示情報は、前記出力指示されたコンテンツの種類に応じて作成される請求項１に記載のコンテンツ出力装置。
【請求項３】
前記コンテンツが出力されることを示す表示情報の出力時間は、前記出力指示されたコンテンツの種類に応じて調整される請求項１または２に記載のコンテンツ出力装置。
【請求項４】
前記コンテンツが出力されることを示す表示情報は、前記出力指示されたコンテンツの出力フォーマットと実質的に同一のフォーマットで出力される請求項１乃至３のいずれかに記載のコンテンツ出力装置。
【請求項５】
前記出力指示されたコンテンツの種類はレイティングである請求項１乃至４のいずれかに記載のコンテンツ出力装置。
【請求項６】
コンテンツを複数の中から選択された表示手段に向けて出力するための出力指示を受信するステップと、
前記出力指示されたコンテンツが出力されることを示す表示情報を、前記選択された表示手段に向けて、前記出力指示されたコンテンツよりも先に出力し、続いて前記出力指示されたコンテンツを出力するステップを備えるコンテンツ出力方法。
【発明の詳細な説明】
【技術分野】
【０００１】
本発明の実施形態は、映像等のコンテンツを保存し、出力指示されたコンテンツを出力するコンテンツ出力装置に関する。
【背景技術】
【０００２】
現在、ホームネットワーク等のネットワークを介して、他機器と映像等のコンテンツを相互利用する製品が普及している。
これらのコンテンツを相互利用するためのガイドラインは、例えば、Digital Living Network Alliance（略称DLNA(ディーエルエヌエイ)）により、決められている。
【０００３】
上記DLNAは、家電、モバイル、およびパーソナルコンピュータ産業における異メーカー間の機器の相互接続を容易にするために2003年6月に結成された業界団体である。
【０００４】
そして、DLNAのガイドラインに、指示部からの出力指示を受け、指示されたコンテンツをコンテンツが保存されているコンテンツ保存部から出力させ、コンテンツを表示するコンテンツ表示部に表示するユースケースが規定されている。
【０００５】
しかし、ネットワークに複数のコンテンツ表示部が接続されていた場合に、コンテンツ表示部の取り違えが生じる可能性があった。そして、誤ったコンテンツ表示部にコンテンツが表示されてしまう恐れがあった。
【０００６】
また、上記コンテンツ表示部の取り違えを防止するためには、ネットワークの接続関係をきちんと管理する必要があるが、ユーザにとって煩雑であるという問題があった。
【先行技術文献】
【特許文献】
【０００７】
【特許文献１】特開２００７−１３５０５９号公報
【発明の概要】
【発明が解決しようとする課題】
【０００８】
ネットワークに複数のコンテンツ表示部が接続されていた場合に、コンテンツ表示部の取り違えが生じ、誤ったコンテンツ表示部に適切でないコンテンツが表示されてしまう可能性があった。
【０００９】
また、コンテンツ表示部の取り違えを防止するためのネットワーク管理はユーザにとり、煩雑であった。
上記を防止することが課題になっていた。
【課題を解決するための手段】
【００１０】
コンテンツを複数の中から選択された表示手段に向けて出力するための出力指示を受信する出力指示受信手段を備える。
出力指示されたコンテンツが出力されることを示す表示情報を、前記選択された表示手段に向けて、前記出力指示されたコンテンツよりも先に出力し、続いて前記出力指示されたコンテンツを出力するコンテンツ出力手段を備える。
【図面の簡単な説明】
【００１１】
【図１】実施形態に係わるコンテンツ出力装置を用いた、コンテンツの相互利用を行うシステムの一例を説明する図。
【図２】実施形態に係わるコンテンツの相互利用システムで用いられるコンテンツ表示指示部の一例を示す図。
【図３】実施形態に係わるコンテンツの相互利用システムにおいて、コンテンツの表示先を誤った例を説明する図。
【図４】実施形態に係わるコンテンツ出力装置（保存部）の構成を示すブロック図。
【図５】実施形態に係わるコンテンツ出力装置（保存部）に記憶される、コンテンツ管理テーブルの構成を説明する図。
【図６】実施形態に係わるコンテンツ出力装置（保存部）の、主に制御部の処理を説明するフローチャート。
【図７】実施形態に係わるコンテンツ出力装置（保存部）の、ダミー長決定部の処理を説明するフローチャート。
【図８】実施形態に係わるコンテンツ出力装置を用いるシステムにおける、ダミーコンテンツ表示の一例を示す図。
【図９】実施形態に係わるコンテンツ出力装置を用いるシステムにおいる、ダミーコンテンツが誤った表示先に表示されたようすを示す図。
【図１０】実施形態に係わるコンテンツ出力装置を用いるシステムにおける、ダミーコンテンツ表示の他の例を示す図。
【図１１】実施形態に係わるコンテンツ出力装置を用いるシステムにおいる、ダミーコンテンツが誤った表示先に表示されたようすの他の例を示す図。
【図１２】実施形態に係わるコンテンツ出力装置を用いるシステムにおける、ダミーコンテンツ表示の他の例を示す図。
【発明を実施するための形態】
【００１２】
以下、図面を参照し、実施の形態を説明する。
上記DLNAのガイドラインには、3BoxPullというユースケースがある。
3BoxPullとは、コンテンツを保存する保存部であるDMS(Digital Media Server)とコンテンツを表示する表示部であるDMR(Digital Media Renderer)、再生指示をする出力指示部であるDMC(Digital Media Controller)が、ホームネットワークで接続された状況で、DMC（指示部）で表示させたいDMR（表示部）を選択し、そのDMR（表示部）に対して、「DMS（保存部）からコンテンツを取ってきて出力再生せよ」、と指示するユースケースである。
【００１３】
3BoxPullでは、DMC（指示部）におけるDMR（表示部）の選択時、一般にfriendly Name(機器につける名称。デフォルトでは機器型番が多い。設定で変更可能なこともある)や、device Icon(機器をあらわすアイコン)がDMC（指示部）に表示され、ユーザがこれを選択するようになっている。
【００１４】
図１は、実施形態に係わるコンテンツ出力装置を用いた、コンテンツの相互利用を行うシステムの一例を説明する図である。
符号１は所望するコンテンツ、符号１０はDMC（コンテンツ出力指示部）、符号２０はDMR１（コンテンツ表示部１）、符号２1はDMR2（コンテンツ表示部２）、符号３０はDMS（コンテンツ保存部）である。
【００１５】
DMC（指示部）１０、DMR１（表示部１）２０、DMR2（表示部２）２1、DMS（保存部）３０はホームネットワークで接続されている。
図１(a)に示すように、Ａさんの部屋には、DMC（指示部）１０とDMS（保存部）３０と、Ａさんが表示させたいDMRであるDMR１（表示部１）２０がある。図１(b)に示すように、一方Ｂさん達の部屋にはDMR2がある。それぞれの機器がホームネットワークで接続されている。DMR1とDMR2にはそれぞれ同名のfriendlyNameが付いている。
【００１６】
図１(a)は、ここでは、Aさんが、後述するDMC（指示部）１０を用い、表示させたいDMR１（表示部１）を選択し、そのDMR１（表示部１）に対し、「DMS（保存部）３０から所望するコンテンツ１を出力させ再生せよ」、と指示したことを示している。
【００１７】
図１(b)は、ここでは、Bさん達は何も指示していないことを示している。
図２は、実施形態に係わるコンテンツの相互利用システムで用いられるコンテンツ表示指示部の一例を示す図である。
DMC（指示部）１０は、例えばTV等の操作に使用される赤外線のリモートコントローラと同様の構成をとることが可能である。
符号１１は、DMC（指示部）１０に設けられた、コンテンツ表示先選択部である。符号１２は上記ホームネットワークに接続されたDMR１（表示部１）を示している。また、符号１３はホームネットワークに接続されたDMR２（表示部２）を示している。
【００１８】
ユーザはこの表示（コンテンツ表示先選択部１１）を見て、ホームネットワークに接続された、所望のコンテンツを表示する表示先を選択する。
例えば、ここでDMR１（表示部１）が選択されれば図１に示すように、コンテンツはＡさんの部屋のDMR１（表示部１）に表示される。
図３は、実施形態に係わるコンテンツの相互利用システムにおいて、コンテンツの表示先を誤った例を説明する図である。
ここでは、上記のように、Aさんが、表示させたいDMR１（表示部１）を選択し、そのDMR１（表示部１）に対し、「DMS（保存部）３０から所望するコンテンツ１を出力させ再生せよ」、と指示したつもりであったが、間違って、DMR２（表示部２）を選択し、DMR２（表示部２）に対し、「DMS（保存部）３０から所望するコンテンツ１を出力させ再生せよ」、と指示してしまったことを示している。
【００１９】
コンテンツが、Aさんの部屋とは違う、別の部屋のDMR2（表示部２）に表示されてしまっている。また、Ｂさん達の部屋のDMR2（表示部２）には、意図しないコンテンツ１の再生画面が、突然表示されることとなる。
【００２０】
Ａさんは、コンテンツ１の再生をDMR１（表示部１）に指示したつもりであったのに、上記のように間違って、DMR２（表示部２）を選択したので、DMR１（表示部１）にはコンテンツ１は表示されない。
【００２１】
この間違いに気付けば、例えば、DMC（指示部）１０を用いて、コンテンツ１の再生をキャンセルをするが、既にコンテンツ１の一部はDMR2（表示部２）に表示されてしまい、Bさん達を驚かせてしまうことになる。
【００２２】
図４は、実施形態に係わるコンテンツ出力装置（保存部）の構成を示すブロック図である。
符号３１はコンテンツ記録領域、符号３２はダミー長決定部、符号３３はコンテンツ管理テーブル、符号３４は制御部、符号３５はダミーコンテンツ生成部、符号４０はネットワークである。
【００２３】
コンテンツ記録領域３１は、例えばHDD装置等の記憶装置で構成され、コンテンツが記録される。
ダミー長決定部３２は、例えば後述する、指示に応じて出力するコンテンツに先立って出力されるダミーコンテンツの長さであるダミー長を決定する。
ダミーコンテンツ生成部３５は、上記決定されたダミー長に応じてダミーコンテンツを生成する。
コンテンツ管理テーブル３３はコンテンツを管理するテーブルであり、例えば図示しない半導体メモリに記録される。
制御部３４は、コンテンツ記録領域３１、ダミー長決定部３２、ダミーコンテンツ生成部３５、コンテンツ管理テーブル３３に接続され、これらの制御を行う。
また、DMS（コンテンツ保存部）３０は、ネットワーク４０と接続される。
また、コンテンツ情報管理テーブル３３は、コンテンツに付随する情報を管理するテーブル情報である。コンテンツ情報管理テーブル３３の一例を、図５に示す。
コンテンツ情報管理テーブル３３は、制御部３４からの操作により、各コンテンツ毎に、図５に示す情報を持つように構成される。
図５は、実施形態に係わるコンテンツ出力装置（保存部）に記憶される、コンテンツ管理テーブル（コンテンツ情報管理テーブル）の構成を説明する図である。
符号33aはURI、符号33bはコンテンツ名、符号33cはジャンル、符号33dは記録フォルダ、符号33eはレイティング、符号33fはコンテンツフォーマットである。
【００２４】
また、符号33gは本編長、符号33hはダミー長、符号33iはコンテンツ長である。
例えば、放送波や、ネットワークを経由したダビングによってコンテンツを記録する際に、コンテンツ出力装置３０等は、コンテンツ情報(URI33a、コンテンツ名33b、ジャンル33c、記録フォルダ33d、レイティング33e、コンテンツフォーマット33f)と、本編長33gと、コンテンツ本編に係るコンテンツデータを受け取る。
【００２５】
制御部34は、ダミー長決定部32に、コンテンツ情報と共にダミー長決定指示を出し、ダミー長を決定する。
この実施の形態では、コンテンツの本編長33gとコンテンツのダミー長33hを合わせたものをコンテンツ長33iとする。
例えば、上記コンテンツデータはコンテンツ記録領域31に、それ以外の情報はコンテンツ管理テーブルに記録するように構成することも可能である。
ここで、ＵＲＩはUniform Resource Identifierの略である。ここでは、コンテンツを一意に特定する情報である。この情報に基づいて、DMS（コンテンツ保存部）は、自機器内でコンテンツを同定したり、DMR（表示部）２０等からコンテンツの送信要求を受ける。
【００２６】
コンテンツ名はコンテンツ名称、タイトルである。
ジャンルはコンテンツのジャンルである。
記録フォルダはコンテンツ等を記録するフォルダである。DMS（コンテンツ保存部）は、ユーザ操作により、自機器内でコンテンツのジャンル分けを行う等の整理を行う場合に、任意に振り分けることが可能である。
【００２７】
レイティングは例えば未成年禁止、子供禁止等の年齢制限である。
コンテンツフォーマットはコンテンツのファイルフォーマットである。
本編長はコンテンツ本編（オリジナル）の長さである。
ダミー長はコンテンツ情報（例えばレイティング等を用いた種類）より導き出された、ダミーコンテンツの長さである。
コンテンツ長は本編長とダミー長を足し合わせた長さである。DMC（指示部）１０やDMR（表示部）２０等にコンテンツの長さを知らせる場合には、この値を用いることが可能である。
【００２８】
ここでは、URI、コンテンツ名、ジャンル、記録フォルダ、レイティング、コンテンツフォーマットを合わせて、コンテンツ情報と呼ぶ。
ダミー長決定部３２は、制御部３４からコンテンツ情報と共にダミー長決定指示を受け、ダミー長を決定して、制御部３４に返す。
ダミーコンテンツ生成部３５は、制御部３４からコンテンツフォーマット、ダミー長と共にダミーコンテンツ作成指示を受け、ダミーコンテンツを作成して、制御部３４に返す。
【００２９】
図６は、実施形態に係わるコンテンツ出力装置（保存部）の、主に制御部の処理を説明するフローチャートである。
次に説明する各トリガに応じて、それぞれ処理を行う。
図６(a)は、トリガとして、放送波やネットワーク経由のダビングにて、コンテンツ情報と本編長とコンテンツデータと共に、ファイル記録要求を受けた場合の例である。
【００３０】
ここでは、上記コンテンツ情報と共に、ダミー長決定部32にダミー長決定を指示し、ダミー長33hを受け取る。そして、本編長33g、ダミー長33h、コンテンツ長33iと上記コンテンツ情報をコンテンツ管理テーブルに記録する。コンテンツデータはコンテンツ記録領域31に記録する。
【００３１】
符号S100は、開始ステップである。続いて符合S101を付したステップへ進む。
符号S101は、コンテンツ情報と本編長33gとコンテンツデータと共にファイル記録要求を受けるステップである。続いて符合S102を付したステップへ進む。
【００３２】
符号S102は、コンテンツ情報と共に、ダミー長決定部にダミー長決定を指示し、ダミー長33hを受け取るステップである。続いて符合S103を付したステップへ進む。
【００３３】
符号S103は、ダミー長33hと、本編長33gを足し合わせ、コンテンツ長33iとするステップである。続いて符合S104を付したステップへ進む。
符号S104は、決定したダミー長33hとコンテンツ長33iを、本編長33gと合わせてコンテンツ管理テーブルに記録するステップである。続いて符合S105を付したステップへ進む。
【００３４】
符号S105は、コンテンツデータをコンテンツ記録領域に記録するステップである。続いて符合S106を付したステップへ進む。
符号S106は、終了ステップであり、ここでの処理は終了する。
図６(b)は、トリガとして、DMR（表示部）20等より、URIと共に、コンテンツの各種情報送信要求を受けた場合の例である。
ここでは、URI33aに基づいて、コンテンツ管理テーブル33から、対象コンテンツのエントリを取得する。そして、上記コンテンツ情報とコンテンツ長33iをDMR２０に送信する。
【００３５】
符号S200は、開始ステップである。続いて符合S201を付したステップへ進む。
符号S201は、DMCより、URIと共に、コンテンツの各種情報送信要求を受けるステップである。続いて符合S202を付したステップへ進む。
符号S202は、URIを元に、コンテンツ管理テーブルから、対象コンテンツのエントリを取得するステップである。続いて符合S203を付したステップへ進む。
【００３６】
符号S203は、コンテンツ情報とコンテンツ長33iをDMR（表示部）に渡すステップである。続いて符合S204を付したステップへ進む。
符号S204は、終了ステップであり、ここでの処理は終了する。
図６(c)は、トリガとして、DMR（表示部）20等より、URIと共に、コンテンツ送信要求を受けた場合である。
ここでは、URI33aに基づいて、コンテンツ管理テーブル33から、対象コンテンツのエントリを取得する。
そして、制御部34は、コンテンツフォーマット33f、ダミー長33hと共に、ダミーコンテンツ生成部35にダミーコンテンツ作成を指示し、これを受け取る。
そして、URI33aに基づいて、コンテンツ記録領域31より対象コンテンツを読み出し、先頭にダミーコンテンツをつけ、DMR（表示部）20等に送信する。
符号S300は、開始ステップである。続いて符合S301を付したステップへ進む。
符号S301は、DMCより、URIと共に、コンテンツ送信要求を受けるステップである。続いて符合S302を付したステップへ進む。
符号S302は、URIを元に、コンテンツ管理テーブルから、対象コンテンツのエントリを取得するステップである。続いて符合S303を付したステップへ進む。
【００３７】
符号S303は、コンテンツフォーマット、ダミーフォーマット長と共に、ダミー生成部にダミーコンテンツ作成を指示し、受け取るステップである。続いて符合S304を付したステップへ進む。
【００３８】
符号S304は、URIを元に、コンテンツ記録領域より対象コンテンツを読み出し、先頭にダミーコンテンツをつけ、相手機器に送信するステップである。続いて符合S305を付したステップへ進む。
【００３９】
符号S305は、終了ステップであり、ここでの処理は終了する。
図７は、実施形態に係わるコンテンツ出力装置（保存部）の、ダミー長決定部の処理を説明するフローチャートである。
ここでは、トリガとして、制御部34より、コンテンツ情報と共に、ダミー長決定指示を受けた場合に、DMS（保存部）３０は、コンテンツ情報から、ダミー長決定条件に基づいて、ダミー長33hを決定し、制御部34に返す。
【００４０】
ダミー長を決定する条件は、コンテンツの種類に応じて決定される。例えば以下の通りである。
（１）コンテンツ名：  コンテンツのコンテンツ名に応じてダミー長を決定する。
例えば、コンテンツ名に「秘」が含まれるコンテンツのダミー長33hを、+5秒とする。また、「殺」が含まれるコンテンツのダミー長33hを+5秒とする等である。
【００４１】
（２）ジャンル：  コンテンツのジャンルに応じてダミー長を決定する。
例えば、コンテンツのジャンルが「お笑い・コメディ」の場合、コンテンツのダミー長33hを、+10秒とする。また、「アニメ・特撮」の場合、コンテンツのダミー長33hを、+10秒とする等である。
【００４２】
（３）記録フォルダ名：  コンテンツの記録フォルダ名に応じてダミー長を決定する。
例えば、コンテンツの記録フォルダ名に、「お父さん」、「お母さん」等、個人を指すものが含まれる場合、コンテンツのダミー長33hを、+5秒とする。また、コンテンツの記録フォルダ名に、「秘」が含まれるものが含まれる場合、+5秒とする等である。
【００４３】
（４）レイティング：  コンテンツのレイティングに応じてダミー長を決定する。
例えば、コンテンツのレイティングが、18歳未満禁止であった場合、コンテンツのダミー長33hを、+10秒とする。また、コンテンツのレイティングが、15歳未満禁止であった場合、コンテンツのダミー長33hを、+5秒とする等である。
【００４４】
これらのダミー長は適宜加算するように構成しても良い。
これにより、例えば、図５に示す「/contents/001.mpeg」のコンテンツは、コンテンツ名に「秘」が含まれるためダミー長33hを、+5秒、さらに、レイティングが「18歳未満禁止」であるためダミー長33hを、+10秒とし、両者を合わせ、ダミー長33hは、合計15秒となる。
【００４５】
符号S4０0は、ここでの開始ステップである。続いて符合Ｓ401を付したステップへ進む。
符号S4０1は、制御部より、コンテンツ情報と共に、ダミー長決定指示を受けるステップである。続いて符合Ｓ402を付したステップへ進む。
符号S4０2は、コンテンツ情報より、ダミー長決定条件を元に、ダミー長33hを決定し、制御部34に返すステップである。続いて符合Ｓ403を付したステップへ進む。
【００４６】
符号S4０3は、終了ステップであり、ここでの処理は終了する。
すなわち、この実施の形態においては、コンテンツ出力装置３０は、ネットワーク４０を介して所定のコンテンツの出力指示を受信する。
そして、出力指示されたコンテンツの種類に応じてダミー長決定部３２でダミー長を決定する。ダミーコンテンツ生成部３５は、ダミー長決定部３２で決定されたダミー長のダミーコンテンツを作成する。
【００４７】
そして、コンテンツ記録領域31より出力要求されたコンテンツを読み出し、先頭に作成されたダミーコンテンツをつけ、出力要求されたコンテンツよりも先に、DMR（表示部）20等に送信する。
【００４８】
すなわち、要求を受けたDMS（コンテンツ保存部）３０がコンテンツを出力する際、要求を受けた本編のコンテンツとは異なるダミーコンテンツを、例えば、図８、図９に示すように、出力する。このダミーコンテンツは、上記のように数秒間程度、本編のコンテンツを出力する前に出力する。
【００４９】
ダミーコンテンツは、要求を受けたコンテンツを出力する際のフォーマットと、実質的に同じフォーマットで作製することが望ましい。
これにより、例えば、DMS（コンテンツ保存部）３０から出力されるダミーコンテンツと本編のコンテンツのフォーマットが異なる場合（例えば、ダミーコンテンツはMPEG-2 TS、本編のコンテンツはMPEG-2 PS等）、DMR（表示部）２０等が、どちらかのコンテンツを再生できないことや、両者間のフォーマットの切り替わりに対応できない、といった不具合が起こる可能性を低減することが可能となる。
【００５０】
図８は、実施形態に係わるコンテンツ出力装置を用いるシステムにおける、ダミーコンテンツ表示の一例を示す図である。
上記と同一の構成については同一の符号を付し、説明を省略する。
符号２はダミーコンテンツ表示の一例である。ダミーコンテンツ２には、表示させたい表示情報が出力される。
上記と同様に、図８(a)はＡさんの部屋であり、DMC（指示部）１０とDMS（保存部）３０と、Ａさんが表示させたいDMRであるDMR１（表示部１）２０がある。
【００５１】
また、図８(b)に示すように、Ｂさん達の部屋にはDMR2がある。そして、それぞれの機器がホームネットワークで接続されている。
図８(a)では、AさんがDMC（指示部）１０を用い、表示させたいDMR１（表示部１）２０を選択し、そのDMR１（表示部１）２０に対し、「DMS（保存部）３０から所望するコンテンツ１を出力させ再生せよ」、と指示する。
【００５２】
すると、この実施の形態においては、所望するコンテンツ１（本編）を出力する前に、ダミーコンテンツ２が表示される。
ここでは、ダミーコンテンツ２は「ダミーコンテンツ表示」と情報が表示されている。このダミーコンテンツ２は、例えば、数秒間程度、コンテンツの予告に関する情報が表示され、続いて、ユーザが所望するコンテンツ１（本編）が表示される。この時、表示先（表示部）はＤＭＲ１（２０）が、Aさんによって正しく選択された。
【００５３】
図８(b)は、Ｂさん達の部屋のDMR2を示している。
AさんによってＤＭＲ１（２０）が正しく選択されたので、DMR2（２１）にはＡさんが指示したコンテンツ１は表示されない。
図９は、実施形態に係わるコンテンツ出力装置を用いるシステムにおいる、ダミーコンテンツが誤った表示先に表示されたようすを示す図である。
上記と同様に、Aさんが表示させたいDMR１（表示部１）を選択し、そのDMR１（表示部１）２０に対し、「DMS（保存部）３０から所望するコンテンツ１を出力させ再生せよ」、と指示したつもりであったが、間違って、DMR２（表示部２）を選択し、DMR２（表示部２）に対し、「DMS（保存部）３０から所望するコンテンツ１を出力させ再生せよ」、と指示してしまった。
【００５４】
この時、図９（ａ）に示すように、Ａさんが所望するコンテンツ１がDMR１（表示部１）２０に表示されないので、Ａさんは誤った表示先を選択してしまったことに気付く。
【００５５】
この時、図９（ｂ）に示すように、Ａさんが所望するコンテンツ１が、Aさんの部屋とは違う、別の部屋のDMR2（表示部２）に表示されることになるが、この実施の形態においては、所望するコンテンツ１（本編）を出力する前に、ダミーコンテンツ２が表示される。
【００５６】
すなわち、Ｂさん達の部屋のDMR2（表示部２）には、まず、ダミーコンテンツ２が表示され、所定の時間経過後（ダミー長：例えば数秒間）に、コンテンツ１（本編）が出力される。
【００５７】
したがって、例えば上記のような間違いがあっても、突然、Ｂさん達が意図しないコンテンツ１の本編が表示され前にダミーコンテンツ２が、例えば数秒間、表示される。
【００５８】
このように構成することにより、例えば、ダミーコンテンツ２が、誤ってＢさん達に表示される数秒間の間に、Ａさんは、コンテンツ１の表示先間違いに気付き、コンテンツ１（本編）の再生をキャンセルをすることが可能になる。
【００５９】
これにより、Ｂさん達にコンテンツ１（本編）が表示されることを防止することが可能になる。
また、上記説明した、コンテンツ情報からダミー長を決定する条件を、ユーザにより設定可能とすることも可能である。
例えば、考慮する項目を、予めデフォルトで設定されていたものから変更する。一例として、ここでは、ジャンルは考慮せず、コンテンツ名に「死」が入っていた場合はダミー長を+5秒増加させることや、重みの変更(例えば、レイティングが18歳未満禁止の場合はダミー長を+20秒に変更する等)を可能とする。
【００６０】
このとき、例えばコンテンツ出力装置３０の構成例として、上記に、ダミー長決定部と接続された、ダミー長33hの決定条件を変更するダミー長決定条件変更部（図示なし）を追加する。
【００６１】
このダミー長決定条件変更部は、ユーザからダミー長決定条件の入力を受け、変更されたら、ダミー長決定条件と共に、ダミー長決定部にダミー長決定条件変更を指示する。
【００６２】
ダミー長決定部３２は、ダミー長決定条件変更部から、ダミー長決定条件と共に、ダミー長決定条件変更指示を受け、ダミー長決定条件を変更する。
また、変更された条件に従って、再度全コンテンツのダミー長とコンテンツ長を計算し直し、コンテンツ管理テーブル３３を更新する。
また、DMC１０がDMS（保存部）３０からダミー長を取得できるように構成し、DMR（表示部）２０に対して再生指示し、その後、カウントダウン表示を開始することも可能である。
【００６３】
これによって、ユーザは、そのカウントダウンが表示されている期間はダミーが再生されていることを知ることが出来る。
これによって、再生表示の指示先を誤っていた場合も、これを落ち着いてキャンセルすることが可能となる。
また、DMS（保存部）３０は、DMC１０より、コンテンツの各種情報要求を受けた場合に、コンテンツ情報とコンテンツ長に加え、オプションでダミー長も返すように変更することも可能である。
【００６４】
DMC３０は、取得したコンテンツの各種情報にダミー長33hが含まれていた場合は、コンテンツの再生を開始したら、カウントダウンを行っても良い。
これによって、ユーザが、誤った再生指示先DMR（表示部）３０を選択した場合にも、このコンテンツの本編が再生されるまでにキャンセルをする、時間的余裕を持つことができる。
【００６５】
図１０は、実施形態に係わるコンテンツ出力装置を用いるシステムにおける、ダミーコンテンツ表示の他の例を示す図である。
ここでは、ダミーコンテンツ表示２は、コンテンツのタイトルではなく、コンテンツの本編が表示されることを示している。
Aさんが表示させたいDMR１（表示部１）を選択し、そのDMR１（表示部１）２０に対し、「DMS（保存部）３０から所望するコンテンツ１を出力させ再生せよ」、と指示した。この時、表示先（表示部）はＤＭＲ１（２０）が、Aさんによって正しく選択された。
【００６６】
ここでは、ダミーコンテンツ２は「ダミーコンテンツ表示」と表示されている。また、このダミーコンテンツ表示２は、例えば、「ダミー表示５秒後に、コンテンツの本編を表示します」と表示する。
【００６７】
図１１は、実施形態に係わるコンテンツ出力装置を用いるシステムにおいる、ダミーコンテンツが誤った表示先に表示されたようすの他の例を示す図である。
Aさんが表示させたいDMR１（表示部１）を選択し、そのDMR１（表示部１）２０に対し、「DMS（保存部）３０から所望するコンテンツ１を出力させ再生せよ」、と指示したつもりであったが、間違って、DMR２（表示部２）を選択し、DMR２（表示部２）に対し、「DMS（保存部）３０から所望するコンテンツ１を出力させ再生せよ」、と指示してしまった。
【００６８】
ここでは、ダミーコンテンツ２は、Ｂさん達の部屋のＤＭＲ２（表示部）２１に、「ダミーコンテンツ表示」と表示されている。また、このダミーコンテンツ表示２は、例えば、「ダミー表示５秒後に、コンテンツの本編を表示します」と表示する。
【００６９】
図１２は、実施形態に係わるコンテンツ出力装置を用いるシステムにおける、ダミーコンテンツ表示の他の例を示す図である。
ここでは、Ａさんの部屋のＤＭＲ１（表示部）にダミーコンテンツ表示２が表示される。
この実施の形態においては、コンテンツ出力装置（ＤＭＳ（保存部））３０は、Ａさんからコンテンツの再生指示を受けると、再生指示されたコンテンツを指示された表示部に向けて出力する前に、このダミーコンテンツ表示２を出力する。
【００７０】
ダミーコンテンツ表示２には、「これから指示されたコンテンツを再生します」というメッセージと、「「はい」が選択されないと次に進まず、コンテンツは再生されません」というメッセージが表示される。
【００７１】
Ａさんは、このダミーコンテンツ表示２を見ながら、DMC（指示部）10を操作し、コンテンツを再生して良ければ「はい」を、コンテンツを再生してはいけなければ「いいえ」を選択操作し、コンテンツ出力装置（ＤＭＳ（保存部））３０に向けて指示する。コンテンツ出力装置（ＤＭＳ（保存部））３０は、この指示を受信する。
【００７２】
そして、「はい」が指示されると、指示したコンテンツを再生のために出力する。「いいえ」が指示されると、指示したコンテンツは再生出力されない。
これにより、例えば、Aさんが表示させたいDMR１（表示部１）を選択し、そのDMR１（表示部１）２０に対し、「DMS（保存部）３０から所望するコンテンツ１を出力させ再生せよ」、と指示したつもりであったが、間違って、DMR２（表示部２）を選択し、DMR２（表示部２）に対し、「DMS（保存部）３０から所望するコンテンツ１を出力させ再生せよ」、と指示してしまった場合には、誤って指示したコンテンツが再生出力されることを防止することが可能である。
【００７３】
上記のように構成することによって、この実施の形態においては、ネットワークに複数のコンテンツ表示部が接続されていても、コンテンツ表示部の取り違えを防止することが可能になる。
【００７４】
また、コンテンツ表示部の取り違えを防止するための煩雑なネットワーク管理を低減することが可能になる。
なお、上記実施形態は、記述そのものに限定されるものではなく、実施段階では、その趣旨を逸脱しない範囲で、構成要素を種々変形して具体化することが可能である。
【符号の説明】
【００７５】
１０…DMC（コンテンツ出力指示部）、２０…DMR１（コンテンツ表示部１）、２1…DMR2（コンテンツ表示部２）、３０…DMS（コンテンツ保存部）、３１…コンテンツ記録領域、３２…ダミー長決定部、３３…コンテンツ管理テーブル、３４…制御部、３５…ダミーコンテンツ生成部、４０…ネットワーク。
【図１】
2012004889.tif 000003
【図２】
2012004889.tif 000004
【図３】
2012004889.tif 000005
【図４】
2012004889.tif 000006
【図５】
2012004889.tif 000007
【図６】
2012004889.tif 000008
【図７】
2012004889.tif 000009
【図８】
2012004889.tif 000010
【図９】
2012004889.tif 000011
【図１０】
2012004889.tif 000012
【図１１】
2012004889.tif 000013
【図１２】
2012004889.tif 000014